(57)【要約】【課題】  送信側および受信側のそれぞれに複数のアンテナを備えた通信システムにおいて、受信側装置の故障による、通信特性の劣化を抑制した通信制御方法を提供する。【解決手段】  受信側装置が複数の受信系統のいずれかについて正常から異常への状態変化または異常から正常への状態変化を検出すると、正常な受信系統の数と同等以下の数を送信側装置の送信系統の数として算出するステップと、算出した送信系統の数の情報である送信系統数情報を送信側装置に送信するステップと、送信側装置が、受信側装置から送信系統数情報を受信すると、動作させる送信系統の数を送信系統数情報が示す数に一致させるステップとを有するものである。【選択図】  図３
2007020047.tif 000002
【特許請求の範囲】
【請求項１】
アンテナおよび送信機を含む送信系統が複数設けられた送信側装置とアンテナおよび受信機を含む受信系統が複数設けられた受信側装置との通信における制御方法であって、
前記受信側装置が、前記複数の受信系統のいずれかについて正常から異常への状態変化または異常から正常への状態変化を検出すると、正常な受信系統の数と同等以下の数を前記送信側装置の前記送信系統の数として算出するステップと、
前記受信側装置が、算出した前記送信系統の数の情報である送信系統数情報を前記送信側装置に送信するステップと、
前記送信側装置が、前記受信側装置から前記送信系統数情報を受信すると、動作させる送信系統の数を該送信系統数情報が示す数に一致させるステップと、
を有する通信制御方法。
【請求項２】
アンテナおよび送信機を含む送信系統が複数設けられた送信側装置とアンテナおよび受信機を含む受信系統が複数設けられた受信側装置との通信における通信制御方法であって、
前記受信側装置が、前記複数の受信系統のいずれかについて正常から異常への状態変化または異常から正常への状態変化を検出すると、正常な受信系統の数を示す情報である正常受信系統数情報を前記送信側装置に送信するステップと、
前記送信側装置が、前記受信側装置から前記正常受信系統数情報を受信すると、動作させる送信系統の数を、該正常受信系統数情報が示す数と同等以下にするステップと、
を有する通信制御方法。
【請求項３】
前記受信側装置が、前記複数の受信系統のいずれかについて正常から異常への状態変化または異常から正常への状態変化を検出すると、異常のある受信系統から出力されるデータを処理対象から除外するステップを有する請求項１または２記載の通信制御方法。
【請求項４】
アンテナおよび送信機を含む送信系統が複数設けられた送信側装置とアンテナおよび受信機を含む受信系統が複数設けられた受信側装置とを有する通信システムであって、
前記受信側装置は、
前記複数の受信系統と接続され、該複数の受信系統の状態を監視し、該複数の受信系統のいずれかについて正常から異常への状態変化または異常から正常への状態変化を検出すると、正常な受信系統の数と同等以下の数を前記送信系統の数として算出し、算出した数を前記送信系統数情報として外部に送出する監視部、および該監視部と接続され、該監視部から受信する該送信系統数情報を前記送信側装置に無線通信で送信する受信側送信系統を有し、
前記送信側装置は、
前記複数の送信系統と接続され、前記送信系統数情報に対応する数の該送信系統に送信データを振り分ける信号分配処理部、および該信号分配処理部と接続され、前記受信側装置から無線通信で受信する該送信系統数情報を該信号分配処理部に送出する送信側受信系統を有する、通信システム。
【請求項５】
アンテナおよび送信機を含む送信系統が複数設けられた送信側装置とアンテナおよび受信機を含む受信系統が複数設けられた受信側装置とを有する通信システムであって、
前記受信側装置は、
前記複数の受信系統と接続され、該複数の受信系統の状態を監視し、該複数の受信系統のいずれかについて正常から異常への状態変化または異常から正常への状態変化を検出すると、正常な受信系統の数を示す情報である正常受信系統数情報を外部に送出する監視部、および該監視部と接続され、該監視部から受信する該正常受信系統数情報を前記送信側装置に無線通信で送信する送信系統を有し、
前記送信側装置は、
前記複数の送信系統と接続され、動作させる送信系統の数を示す送信系統数情報に対応する数の該送信系統に送信データを振り分ける信号分配処理部、該信号分配処理部と接続され、前記正常受信系統数情報を受信すると、該正常受信系統数情報が示す数と同等以下の数を前記送信系統数情報として算出し、該送信系統数情報を前記信号分配処理部に送出する監視部、および該監視部と接続され、前記受信側装置から無線通信で受信する該正常受信系統数情報を該監視部に送出する送信側受信系統を有する、通信システム。
【請求項６】
前記受信側装置には、前記監視部と接続され、異常のある受信系統を示す情報である異常受信系統情報を該監視部から受信すると、該異常受信系統情報が示す受信系統を除く前記複数の受信系統から受信するデータの抽出を行う信号分離処理部が設けられ、
前記監視部は、前記複数の受信系統のいずれかについて正常から異常への状態変化または異常から正常への状態変化を検出すると、前記異常受信系統情報を前記信号分離処理部に送出する、請求項４または５記載の通信システム。
【発明の詳細な説明】
【技術分野】
【０００１】
本発明は、ＭＩＭＯ（Ｍｕｌｔｉｐｌｅ Ｉｎｐｕｔ Ｍｕｌｔｉｐｌｅ Ｏｕｔｐｕｔ）通信に代表される、送信側および受信側のそれぞれに複数のアンテナを用いて行う無線通信における通信制御方法および通信システムに関する。
【背景技術】
【０００２】
ＭＩＭＯ装置では、送信側は、通信対象の情報を複数に分割して同一の周波数を使って、同時に複数の送信アンテナから送出する。受信側は、送信側から送出された情報を複数の受信アンテナで受信し、各受信アンテナが受信する情報について他の受信アンテナが受信する情報と重複する部分を分離し、元の情報に組み立て直す。ＭＩＭＯ通信は、理論上では送信アンテナおよび受信アンテナの数に比例して通信速度を向上させることができると一般的に言われている。そのため、多重化のために広帯域を確保する必要がなく、周波数の利用効率に優れているという利点がある（例えば、特許文献１参照）。
【特許文献１】特開２００３−３３８７８１号公報
【発明の開示】
【発明が解決しようとする課題】
【０００３】
しかし、ＭＩＭＯ装置の運用中に受信側装置が故障して「送信アンテナ数＞受信アンテナ数」の関係になると、受信側装置の受信特性が劣化してしまうという問題がある。
【０００４】
本発明は上述したような従来の技術が有する問題点を解決するためになされたものであり、送信側および受信側のそれぞれに複数のアンテナを備えた通信システムにおいて、受信側装置の故障による、通信特性の劣化を抑制した通信制御方法および通信システムを提供することを目的とする。
【課題を解決するための手段】
【０００５】
上記目的を達成するための本発明の通信制御方法は、アンテナおよび送信機を含む送信系統が複数設けられた送信側装置とアンテナおよび受信機を含む受信系統が複数設けられた受信側装置との通信における制御方法であって、
前記受信側装置が、前記複数の受信系統のいずれかについて正常から異常への状態変化または異常から正常への状態変化を検出すると、正常な受信系統の数と同等以下の数を前記送信側装置の前記送信系統の数として算出するステップと、
前記受信側装置が、算出した前記送信系統の数の情報である送信系統数情報を前記送信側装置に送信するステップと、
前記送信側装置が、前記受信側装置から前記送信系統数情報を受信すると、動作させる送信系統の数を該送信系統数情報が示す数に一致させるステップと、
を有するものである。
【０００６】
また、本発明の通信制御方法は、アンテナおよび送信機を含む送信系統が複数設けられた送信側装置とアンテナおよび受信機を含む受信系統が複数設けられた受信側装置との通信における通信制御方法であって、
前記受信側装置が、前記複数の受信系統のいずれかについて正常から異常への状態変化または異常から正常への状態変化を検出すると、正常な受信系統の数を示す情報である正常受信系統数情報を前記送信側装置に送信するステップと、
前記送信側装置が、前記受信側装置から前記正常受信系統数情報を受信すると、動作させる送信系統の数を、該正常受信系統数情報が示す数と同等以下にするステップと、
を有するものである。
【０００７】
一方、上記目的を達成するための本発明の通信システムは、アンテナおよび送信機を含む送信系統が複数設けられた送信側装置とアンテナおよび受信機を含む受信系統が複数設けられた受信側装置とを有する通信システムであって、
前記受信側装置は、
前記複数の受信系統と接続され、該複数の受信系統の状態を監視し、該複数の受信系統のいずれかについて正常から異常への状態変化または異常から正常への状態変化を検出すると、正常な受信系統の数と同等以下の数を前記送信系統の数として算出し、算出した数を前記送信系統数情報として外部に送出する監視部、および該監視部と接続され、該監視部から受信する該送信系統数情報を前記送信側装置に無線通信で送信する受信側送信系統を有し、
前記送信側装置は、
前記複数の送信系統と接続され、前記送信系統数情報に対応する数の該送信系統に送信データを振り分ける信号分配処理部、および該信号分配処理部と接続され、前記受信側装置から無線通信で受信する該送信系統数情報を該信号分配処理部に送出する送信側受信系統を有する、構成である。
【０００８】
また、本発明の通信システムは、アンテナおよび送信機を含む送信系統が複数設けられた送信側装置とアンテナおよび受信機を含む受信系統が複数設けられた受信側装置とを有する通信システムであって、
前記受信側装置は、
前記複数の受信系統と接続され、該複数の受信系統の状態を監視し、該複数の受信系統のいずれかについて正常から異常への状態変化または異常から正常への状態変化を検出すると、正常な受信系統の数を示す情報である正常受信系統数情報を外部に送出する監視部、および該監視部と接続され、該監視部から受信する該正常受信系統数情報を前記送信側装置に無線通信で送信する送信系統を有し、
前記送信側装置は、
前記複数の送信系統と接続され、動作させる送信系統の数を示す送信系統数情報に対応する数の該送信系統に送信データを振り分ける信号分配処理部、該信号分配処理部と接続され、前記正常受信系統数情報を受信すると、該正常受信系統数情報が示す数と同等以下の数を前記送信系統数情報として算出し、該送信系統数情報を前記信号分配処理部に送出する監視部、および該監視部と接続され、前記受信側装置から無線通信で受信する該正常受信系統数情報を該監視部に送出する送信側受信系統を有する、構成である。
【０００９】
本発明では、通信中に受信側装置の故障や回復により動作可能な受信系統の数が変化しても、正常な受信系統の数が検出され、正常な受信系統の数に対応する、送信系統の数に変更される。そのため、複数の受信系統のいずれかに異常が発生したり、異常状態から回復したりしても、動作する送信系統の数が無線通信にとって最適な数に変更される。
【発明の効果】
【００１０】
本発明によれば、受信側装置の受信系統にハードウェアの故障やＤＳＰファームウェアの暴走等による故障が発生すると、送信側装置で「送信系統数≦受信系統数」の条件になるように送信系統の数を制御する。その結果、動作する送信系統の数が無線通信にとって最適な数に変更され、受信特性の劣化を抑制できる。また、受信系統がハードウェア交換などで故障状態から正常状態に変化した場合も同様である。
【発明を実施するための最良の形態】
【００１１】
本発明の通信制御方法は、受信側での有効な受信アンテナ数を検出し、有効な受信アンテナ数に対応して、送信側における送信アンテナおよび送信機を含む送信系統の数の制御を行うものである。
【実施例１】
【００１２】
本実施例のＭＩＭＯ通信による通信システムの構成について説明する。
【００１３】
図１は本実施例の通信システムの一構成例を示すブロック図である。図１に示すように、本実施例の通信システムは、ＭＩＭＯ送信側装置１とＭＩＭＯ受信側装置１３とを有する。
【００１４】
ＭＩＭＯ送信側装置１は、送信データ信号をＭＩＭＯ受信側装置１３に送信する送信系統２６−１〜２６−４と、送信系統の最適数を示す情報をＭＩＭＯ受信側装置１３から受信する受信系統３０と、送信データ信号を送信系統２６−１〜２６−４に分配する信号分配処理部２とを有する。信号分配処理部２は、送信系統２６−１〜２６−４および受信系統３０と通信接続されている。送信系統２６−１〜２６−４のそれぞれは、送信機３−１〜３−４のそれぞれと、アンテナ７−１〜７−４のそれぞれとを有する。受信系統３０は受信機１１およびアンテナ１２を有する。なお、送信系統２６−１〜２６−４の構成はそれぞれ同様であるため、以下では、説明が重複する場合には代表して送信系統２６−１で説明する。また、（送信系統数）×（受信系統数）をアンテナ形態として表記すると、本実施例では、図１に示すように、アンテナ形態を４×４の場合とする。
【００１５】
受信系統３０の受信機１１は、ＭＩＭＯ受信側装置１３からアンテナ１２を介して受信する無線データに対して復号化および変調等の処理を行って元のデータに変換する。そして、ＭＩＭＯ送信側装置１の送信系統の最適数を示す情報である送信系統数情報を含む無線データをＭＩＭＯ受信側装置１３から受信すると、無線データを復号化して送信系統数情報を読み出し、送信系統数情報を信号分配処理部２に送出する。
【００１６】
信号分配処理部２は、受信系統３０から送信系統数情報を受信すると、送信系統数情報が示す数の送信系統に送信データ信号を均等に割り振る。例えば、送信系統数情報が３の場合、信号分配処理部２は、送信系統２６−１〜２６−４のうちいずれか１つを除く３つの送信系統に送信データ信号を均等に割り振る。
【００１７】
送信系統２６−１の送信機３−１は、信号分配処理部２から送信データ信号を受け取ると、送信データ信号に対して符号化および変調等の処理を行って無線データに変換する。続いて、無線データをアンテナ７−１を介してＭＩＭＯ受信側装置１３に送信する。送信系統２６−２〜２６−４の動作についても送信系統２６−１と同様である。
【００１８】
なお、送信データ信号を無線データに変換する処理および無線データを送信データに変換する処理を行うための無線通信方式については、従来と同様なためその詳細な説明を省略する。
【００１９】
次に、ＭＩＭＯ受信側装置１３について説明する。
【００２０】
ＭＩＭＯ受信側装置１３は、ＭＩＭＯ送信側装置１からの無線データを受信する受信系統３１−１〜３１−４と、受信系統３１−１〜３１−４から受け取るデータを元のデータに組み立てる信号分離処理部２２と、受信系統３１−１〜３１−４の状態を監視する状態監視部２３と、送信系統数情報を含む無線データをＭＩＭＯ送信側装置１に送信する送信系統３５とを有する。受信系統３１−１〜３１−４のそれぞれの出力信号線は信号分配処理部２２に接続されている。状態監視部２３は、受信系統３１−１〜３１−４、信号分配処理部２２および送信系統３５と通信接続されている。受信系統３１−１〜３１−４のそれぞれは、アンテナ１４−１〜１４−４のそれぞれと、受信機１８−１〜１８−４のそれぞれとを有する。送信系統３５は送信機２４およびアンテナ２５を有する。なお、受信系統３１−１〜３１−４の構成は同様であるため、以下では、説明が重複する場合には代表して受信系統３１−１で説明する。
【００２１】
受信系統３１−１の受信機１８−１は、ＭＩＭＯ送信側装置１からアンテナ１４−１を介して無線データを受信すると、無線データに対してパス検出および復号化等の処理を行って元のデータに変換した後、データを信号分離処理部２２に送出する。受信系統３１−２〜３１−４の動作についても受信系統３１−１と同様である。
【００２２】
信号分離処理部２２は、受信系統３１−１〜３１−４から受信するデータのうち重複部分を分離し、データを抽出して元のデータに組み立て直す。ただし、受信系統３１−１〜３１−４のうちいずれかに異常があり、異常のある受信系統を示す情報である異常受信系統情報を状態監視部２３から受け取る場合、異常受信系統情報が示す受信系統から受信するデータについては処理対象から除外する。これにより異常のあるデータに対して処理をしなくて済むため、元のデータに組み立て直す処理にかかる負荷が軽減される。受信系統３１−１〜３１−４における異常とは、ハードウェアの故障やＤＳＰ（Ｄｉｇｉｔａｌ Ｓｉｇｎａｌ Ｐｒｏｃｅｓｓｏｒ）ファームウェアの暴走等により正常に動作しない状態をいう。一方、ハードウェアの故障の場合、ハードウェアを交換することで、受信系統は回復し、受信系統は異常状態から正常状態になる。
【００２３】
状態監視部２３は、受信系統３１−１〜３１−４と通信接続され、受信系統３１−１〜３１−４が正常に動作しているか、それらの状態を監視する。監視により、受信系統３１−１〜３１−４のいずれかが正常状態から異常状態に変化したり、反対に異常状態から正常状態に回復したりすると、その状態変化を検出する。そして、正常に動作している受信系統の数からＭＩＭＯ送信側装置１の送信系統の最適数を決定し、送信系統数情報を送信系統３５に送出する。また、異常受信系統情報を信号処理分離部２３に送出する。このようにして、状態監視部２３では、常に現在動作している送信系統数を把握しており、受信系統３１−１〜３１−４の状態変化(正常→異常、異常→正常)により最適な送信系統数が変化するたびに送信系統数情報が更新される。
【００２４】
ここで、状態監視部２３における、送信系統の最適数の求め方について説明する。
【００２５】
図２は送信系統の最適数を求めるための表である。ＭＩＭＯ送信側装置１に設けられた送信系統の総数をｍとし、ＭＩＭＯ受信側装置１３に設けられた受信系統の総数をｎとしているため、アンテナ形態はｍ×ｎとなる。ただし、ｍおよびｎは、１以上で、かつｍ≦ｎの条件を満たす整数である。図２は、受信系統の故障数に対して、送信系統の数をいくつにすれば最適であるかを示している。例えば、ｍ＝ｎ＝４の場合、図２に示す表から、受信系統の故障数が０のとき、正常な受信系統の数は４となり、送信系統の最適数は４となる。受信系統の故障数が３のときは、正常な受信系統の数は１となり、送信系統の最適数は１となる。送信系統の数を正常な受信系統の数と同等にすることで、送信側と受信側との通信のマッチングが最適となる。
【００２６】
なお、図２の表では、送信系統の数を、最適数として正常な受信系統の数と同等にしたが、「正常な受信系統の数＞送信系統の数」としてもよい。例えば、図２に示す表で、ｍ＝４、ｎ＝６の場合、受信系統の故障数が０〜２のとき、送信系統の数は４となる。受信系統の故障数が０または１であると、正常な受信系統の数は６または５になるため、「正常な受信系統の数＞送信系統の数」の関係になる。
【００２７】
送信系統３５の送信機２４は、状態監視部２３から送信系統数情報を受信すると、送信系統数情報を含むデータに対して無線通信方式にしたがって符号化および変調等の処理を行って無線データに変換し、無線データをアンテナ２５を介してＭＩＭＯ送信側装置１に送信する。
【００２８】
次に、図１に示した通信システムの動作について説明する。
【００２９】
図３は本実施例の通信システムの動作手順を示すフローチャートである。
【００３０】
ＭＩＭＯ送信側装置１の送信機３−１〜３−４のそれぞれは、信号分配処理部２から受信した送信データに対して符号化および変調等の処理を行って無線データを生成する。そして、アンテナ７−１〜７−４のそれぞれを介してＭＩＭＯ受信側装置１３に向けて無線データを送出する。ＭＩＭＯ受信側装置１３の受信系統３１−１〜３１−４では、受信機１８−１〜１８−４のそれぞれがＭＩＭＯ送信側装置１からアンテナ１４−１〜１４−４のそれぞれを介して無線データの信号を受信すると、パス検出および復号の処理を行って処理後のデータを信号分離処理部２２へ送出する。信号分離処理部２２は、受信系統３１−１〜３１−４からデータを受け取ると、受信系統毎にデータを分離してデータを抽出する。
【００３１】
状態監視部２３は、受信系統３１−１〜３１−４の状態を監視し、いずれかの受信系統の状態変化(正常→異常、異常→正常)を検出すると（ステップ２０１）、送信系統の最適数を導出する（ステップ２０２）。続いて、送信系統の最適数を示す送信系統数情報を送信系統３５に送出する。送信系統３５は送信系統数情報をＭＩＭＯ受信側装置１に送信する（ステップ２０３）。また、状態監視部２３は、異常受信系統情報を信号分離処理部２２に送出する。信号分離処理部２２は、異常受信系統情報が示す受信系統からのデータを処理対象から除外する。
【００３２】
一方、ＭＩＭＯ送信側装置１の受信系統３０は、ＭＩＭＯ受信側装置１３から送信系統数情報を受信すると、送信系統数情報を信号分配処理部２に送出する。信号分配処理部２は、受信系統３０から受信する送信系統数情報により送信データの振り分け先となる送信系統を決定し、決定した送信系統に対して、入力される送信データを均等に振り分ける（ステップ２０４）。例えば、送信系統数情報が３から１のそれぞれの場合については、次のようになる。
【００３３】
送信系統数情報が３の場合、送信データを１／３ずつ送信系統２６−１〜２６−３に送信し、送信系統２６−４には送信しない。送信系統数情報が２の場合、送信データを１／２ずつ送信系統２６−１、２６−２に送信し、送信系統２６−３、２６−４には送信しない。そして、送信系統数情報が１の場合、送信データをそのまま送信系統２６−１に送信し、送信系統２６−２〜２６−４には送信しない。なお、異常となる受信系統がない場合、送信系統数情報は４となるため、信号分配処理部２は送信データを１／４ずつ送信系統２６−１〜２６−４に送信する。
【００３４】
ここで、ステップ２０１〜２０３で説明した状態監視部２３の動作について具体例を説明する。状態監視部２３には、受信系統３１−１〜３１−４から装置状態を示す信号である状態信号が入力されるものとする。例えば、装置が正常である場合には状態信号をＬｏｗ信号とし、装置が故障などにより異常である場合には状態信号をＨｉｇｈ信号とする。そして、２値情報のうち、Ｌｏｗ信号を「０」とし、Ｈｉｇｈ信号を「１」とする。この場合において、受信系統３１−１が異常になったとき、状態監視部２３は、受信系統３１−１〜３１−４のそれぞれからＨｉｇｈ信号、Ｌｏｗ信号、Ｌｏｗ信号、Ｌｏｗ信号のそれぞれを受信する。状態監視部２３は、このような信号を受信すると、信号が意味する情報を順に並べた「１０００」を信号分離処理部２２に送出する。また、状態監視部２３は、受信系統３１−１〜３１−４から受け取った状態信号からＬｏｗ信号の数をカウントし、その数を示す情報を送信系統数情報としてＭＩＭＯ送信側装置１に送信する。この具体例で示したような、状態監視部２３の信号出力は、論理回路を組み合わせた構成を状態監視部２３に設けることで実現可能である。
【００３５】
図４はアンテナ形態４×４の場合において、信号分離処理部が処理対象とするデータの送信元の受信系統を示す表である。図４に示す受信系統の番号は、受信系統の符号３１−１〜３１−４の枝番号１〜４である。図４に示す表の左側欄には、行毎に受信系統の異なる状態が記述されている。そして、表の右側欄には、各行について、左側欄で「正常」とされた受信系統の枝番号が記述されている。左側欄と右側欄とを見比べると、異常のある受信系統は処理対象から除外されていることがわかる。
【００３６】
図４に示す表の左側欄に対して、上記状態監視部２３の信号入出力についての具体例のように「正常」を情報「０」とし、「異常」を情報「１」として、受信系統の状態を示す情報を異常受信系統情報としてみる。第１行目は、受信系統が全て「正常」なので、情報を順に並べた「００００」が異常受信系統情報となる。この場合、異常となる受信系統がないため、表の右側欄に示すように、信号分離処理部２２は、受信系統３１−１〜３１−４の全てから受信するデータを処理対象とする。第２行目は、受信系統３１−４が異常なので、表の左側欄による情報「０００１」が異常受信系統情報となる。信号分離処理部２２は、状態監視部２３から異常受信系統情報として情報「０００１」を受信すると、表の右側欄に示すように、受信系統３１−４を除いた受信系統３１−１〜３１−３から受信するデータを処理対象とする。図４に示す表の他の行についても、第１行目および第２行目と同様にして、左側欄に２値情報をあてはめることで、異常受信系統情報が論理回路で処理可能な情報となる。
【００３７】
ＭＩＭＯ通信システムでは、運用中に受信系統にハードウェアの故障やＤＳＰファームウェアの暴走等による故障が発生すると、動作可能な受信系統の数が変化し、「送信系統数＞受信系統数」の関係になると受信特性が劣化する。本実施例の通信システムでは、受信側装置が故障すると、正常な受信系統の数が受信側装置で検出され、正常な受信系統の数に対応する、送信系統の数が送信側装置に通知される。これにより、送信側装置で「送信系統数≦受信系統数」の条件になるように送信系統の数が制御される。その結果、複数の受信系統のいずれかに異常が発生、または異常状態から回復しても、動作する送信系統の数が無線通信にとって最適な数に変更され、受信特性の劣化を抑制できる。
【実施例２】
【００３８】
本実施例の通信システムは、受信側が受信系統の状態を送信側に通知し、送信側が送信系統の最適数を求めるようにしたものである。
【００３９】
本実施例の通信システムの構成について説明する。
【００４０】
図５は本実施例の通信システムの一構成例を示す図である。なお、実施例１と同様な構成については同一の符号を付し、その詳細な説明を省略する。
【００４１】
図５に示すように、ＭＩＭＯ受信側装置１５には、受信系統３１−１〜３１−４の状態を監視する受信系統監視部３６が設けられている。受信系統監視部３６は、受信系統３１−１〜３１−４、信号分離処理部２２、および送信系統３５と通信接続されている。受信系統監視部３６は、受信系統３１−１〜３１−４の状態を監視し、正常な受信系統の数を示す情報である受信系統数情報を送信系統３５に送出する。また、異常な受信系統を示す情報である異常受信系統情報を信号分離処理部２２に送出する。
【００４２】
ＭＩＭＯ送信側装置１０には、送信系統の最適数を信号分配処理部２に通知する送信系統制御部３７が設けられている。送信系統制御部３７は、信号分配処理部２および受信系統３０と通信接続されている。送信系統制御部３７は、受信系統３０を介して受信系統数情報を受信すると、受信系統数情報から送信系統の最適数を算出し、送信系統の最適数の情報である送信系統数情報を信号分配処理部２に送出する。送信系統制御部３７には、実施例１の状態監視部２３と同様に、送信系統２６−１〜２６−４の数が記録された記憶回路が設けられている。
【００４３】
なお、受信系統監視部３６および送信系統制御部３７の入出力信号を２値情報にすれば、実施例１の状態監視部２３と同様に、受信系統監視部３６および送信系統制御部３７については、論理回路を組み合わせた構成とすることが可能である。
【００４４】
次に、図５に示した通信システムの動作について説明する。
【００４５】
図６は本実施例の通信システムの動作手順を示すフローチャートである。
【００４６】
図６に示すように、ＭＩＭＯ受信側装置１５における受信系統監視部３６は、受信系統の状態変化(正常→異常、異常→正常)を検出すると（ステップ３０１）、正常な受信系統の数を導出する（ステップ３０２）。正常な受信系統の数を示す正常受信系統数情報を送信系統３５に送出し、異常受信系統情報を信号分離処理部２２に送出する。送信系統３５は、正常受信系統数情報をＭＩＭＯ送信側装置１０に送信する（ステップ３０３）。
【００４７】
ＭＩＭＯ送信側装置１０の受信系統３０は、ＭＩＭＯ受信側装置１５から正常受信系統数情報を受信すると、正常受信系統数情報を送信系統制御部３７に送出する。送信系統制御部３７は、受信した正常受信系統数情報から送信系統の最適数を導出する（ステップ３０４）。続いて、送信系統の最適数を示す送信系統数情報を信号分配処理部２に送出する。信号分配処理部２は、送信系統数情報により送信系統を決定し、決定した送信系統に送信データを分配する制御を行う（ステップ３０５）。
【００４８】
本実施例の通信システムでは、運用中に受信側装置の故障や回復により動作可能な受信系統の数が変化しても、正常な受信系統の数が送信側装置に通知され、正常な受信系統の数に対応する、送信系統の数に変更される。そのため、実施例１と同様な効果が得られる。
【００４９】
なお、実施例１および実施例２では、４×４のアンテナ形態で示しているが、本発明に対応するアンテナ形態は「送信系統数≦受信系統数」の条件において任意である。
【００５０】
また、状態監視部２３、受信系統監視部３６および送信系統制御部３７については、論理回路により動作させるものとしたが、プログラムを格納するためのメモリとＣＰＵ（Ｃｅｎｔｒａｌ Ｐｒｏｃｅｓｓｉｎｇ Ｕｎｉｔ）とを設け、ＣＰＵにプログラムを実行させることで動作させるようにしてもよい。
【図面の簡単な説明】
【００５１】
【図１】実施例１の通信システムの一構成例を示すブロック図である。
【図２】送信系統の最適数を求めるための表である。
【図３】実施例１の通信システムの動作手順を示すフローチャートである。
【図４】信号分離処理部の処理対象となる受信系統を示す表である。
【図５】実施例２の通信システムの一構成例を示すブロック図である。
【図６】実施例２の通信システムの動作手順を示すフローチャートである。
【符号の説明】
【００５２】
１、１０    ＭＩＭＯ送信側装置
２    信号分配処理部
３−１〜３−４    送信機
７−１〜７−４、１４−１〜１４−４    アンテナ
２６−１〜２６−４    送信系統
３１−１〜３１−４    受信系統
１３、１５    ＭＩＭＯ受信側装置
２２    信号分離処理部
２３    状態監視部
３０    受信系統
３５    送信系統
３６    受信系統監視部
３７    送信系統制御部
【図１】
2007020047.tif 000003
【図２】
2007020047.tif 000004
【図３】
2007020047.tif 000005
【図４】
2007020047.tif 000006
【図５】
2007020047.tif 000007
【図６】
2007020047.tif 000008